(57)【要約】【課題】ひげ根状の植物根圈を形成するイネ科植物を用い，油汚染土壌を含む栽培土壌から植物根圈に集まる微生物により，汚染含有する油を分解するイネ科植物栽培による油汚染土壌の浄化装置及び浄化方法を提供すること。【解決手段】各種の油で汚染した汚染土壌１に，少なくとも該油含有量が所定の濃度以下になる条件を含む土壌調整条件のもとで，非汚染土壌１０を加えて混合し，更に少なくとも固形肥料を含む固形添加物１１を添加し，栽培土壌１ａとし，該栽培土壌にイネ科（　学名：Ｇｒａｍｉｎｅａｅ）　植物を，所定の栽培条件下で栽培し，該植物の植物根圈に集まる土壌中の油分解機能を有する微生物により，該植物栽培育成期間に該汚染土壌の油を分解する事を特徴とする，イネ科植物栽培による油汚染土壌の浄化装置を確保する。【選択図】　　　図１
2004081982.tif 000002
【特許請求の範囲】
【請求項１】
各種の油で汚染した汚染土壌（１）に，少なくとも該油含有量が所定の濃度以下になる条件を含む土壌調整条件のもとで，非汚染土壌（１０）を加えて混合し，更に少なくとも固形肥料を含む固形添加物（１１）を添加し，栽培土壌（１ａ）とし，該栽培土壌にイネ科（　学名：Ｇｒａｍｉｎｅａｅ）　植物を，所定の栽培条件下で栽培し，該植物の植物根圈に集まる土壌中の油分解機能を有する微生物により，該植物栽培育成期間に該汚染土壌の油を分解する浄化装置であって，該浄化装置は，該栽培土壌を擁する上部が開口した箱形状の栽培槽（３）と，該栽培土壌上部一面にわたり給水を一様に散水する機能を有する給水手段（６）と，該栽培土壌底部一面から，該栽培槽の底部（３ｂ）近傍に位置する濾過層（４ｂ）を介して，該底部に設けた排水管（４ａ）から排水する排水手段（４）と，該栽培土壌中に一様に気泡状空気を供給する機能を有する強制通気手段（７）と，そして該排水を一時的に貯水する貯水槽（５）とから構成し，そして該給水手段は，該貯水槽から揚水し，該貯水槽の固形物を除去する固液分離を行い，該揚水を給水として循環して用いる機能を有する揚水ポンプ（６ｂ）を持ち，外部給水源から補充しながら該給水を，該栽培土壌上部にわたり一様に配設した散水管（６ａ）から散水できる構造とし，更に該給水は，所定の期間，少なくとも所定の量の生物系界面活性剤（２２ａ）　及び液肥（２２ｂ）　を含有することとし，そして特に該強制通気手段が，空気供給ポンプ（７ａ）を用いて，該栽培土壌底部近傍に水平一様に配設した水平型散気管（７ｂ）に設けた多数の孔から該気泡状空気を栽培土壌下部一面に吐出できる構造とする事を特徴とする，イネ科植物栽培による油汚染土壌の浄化装置。
【請求項２】
強制通気手段（７）が，空気供給ポンプ（７ａ）を用いて，栽培土壌（１ａ）上部に覆い一様に配設した送気管（７ｄ）と連通し，該送気管から鉛直下方向に延びて，該栽培土壌底部近傍に達する複数の鉛直型散気管　　　　（７ｃ）の端部近傍に設けた多数の孔から，気泡状空気を該栽培土壌下部一面に吐出できる構造とする事を特徴とする，請求項１記載のイネ科植物栽培による油汚染土壌の浄化装置。
【請求項３】
各種の油で汚染した汚染土壌（１）を用い，土壌調整工程（Ｓ１）において，該汚染土壌に，少なくとも該油含有量が所定の濃度以下になる条件を含む土壌調整条件のもとで，非汚染土壌（１０）を加えて混合し，更に少なくとも固形肥料を含む固形添加物（１１）を添加し，栽培土壌（１ａ）を確保し，次にイネ科植物栽培育成（Ｓ２）工程において，該栽培土壌にイネ科（　学名：Ｇｒａｍｉｎｅａｅ）　植物を，所定の栽培条件下で栽培し，該栽培条件は，少なくとも給水手段（６）を用い，　該栽培土壌上部一面にわたり給水（２２）を一様に散水し，該栽培土壌が含有する水分を所定の期間，適応する量に維持し，且つ該給水は，所定の期間，少なくとも所定の量の生物系界面活性剤（２２ａ）　及び液肥（２２ｂ）　を添加して含有することとし，そして排水手段（４）を用い，該栽培土壌底部一面から排水（２３）し，該栽培土壌が含有する水分の入れ換えを行うと共に，　適応する時期に，　強制通気手段（７）を用い，　該栽培土壌中に一様に気泡状空気の強制通気　　（２１）を供給し，特に該給水手段が，外部給水源を用い該給水として供給することとし，　該植物の植物根圈に集まる土壌中の油分解機能を有する微生物により，該植物栽培育成期間に該汚染土壌の油を分解する事を特徴とする，イネ科植物栽培による油汚染土壌の浄化方法。
【請求項４】
給水手段（６）が，栽培土壌（１ａ）底部一面からの排水　　（２３）を，固液分離工程（Ｓ３）　において，沈殿物及び浮遊物からなる固形物を除去し，次に揚水工程（Ｓ４）において，所望の高さまで揚水し，　該揚水を，　外部給水源から補充しながら，　循環する給水（２２）として用いる事を特徴とする，請求項３記載のイネ科植物栽培による油汚染土壌の浄化方法。
【発明の詳細な説明】
【０００１】
【発明の属する技術分野】
本発明は，ひげ根状の植物根圈を形成するイネ科植物を用い，該植物根圈を積極的に拡大促進すると共に，油汚染土壌を含む栽培土壌から植物根圈に集まる微生物により，含有する油を分解するイネ科植物栽培による油汚染土壌の浄化装置及び浄化方法に関する。
【０００２】
【従来の技術】
従来技術の油汚染土壌の浄化装置及び浄化方法は各種あるが，例えば，熱処理方式，掘削除去方式，そして土壌ガス吸引方式等があった。
【０００３】
従来技術の熱処理方式は，汚染油を土壌と共に，燃焼して浄化する方式である。
【０００４】
従来技術の掘削除去方式は，油汚染土壌の部分を，掘削して，他の場所へ移動し廃棄する方式である。
【０００５】
従来技術の土壌ガス吸引方式は，油汚染土壌の揮発性ガスを吸引して除去する方式である。
【０００６】
【発明が解決しようとする課題】
従来技術の熱処理方式は，多大な燃焼エネギーを必要とするだけでなく，環境への影響が甚大であり，しかも熱処理装置にも多大なコストを要する問題点があった。
【０００７】
従来技術の掘削除去方式は，掘削して，他の場所へ移動するだけであり，油浄化を行わず，本質的な解決方式ではない問題点があった。
【０００８】
従来技術の土壌ガス吸引方式は，揮発性油は除去されるが，土壌に吸着した油や，高沸点化合物の浄化は行えない問題点があった。
【０００９】
【課題を解決するための手段】
上記の問題点を解決するために，本発明のイネ科植物栽培による油汚染土壌の浄化装置及び浄化方法は，イネ科植物の栽培を利用する事を特徴とする。
【００１０】
本発明のイネ科植物栽培による油汚染土壌の浄化装置及び浄化方法は，イネ科植物の根圈を積極的に拡大促進するために，油汚染土壌を含む栽培土壌に添加する，固形添加物に少なくとも含まれる固形肥料と，給水に添加する液肥とを用いる事を特徴とする。
【００１１】
本発明のイネ科植物栽培による油汚染土壌の浄化装置及び浄化方法は，栽培植物の根の呼吸を促進し，　植物根圈を積極的に拡大促進するために，栽培土壌に気泡状空気を供給する，強制通気手段を用いる事を特徴とする。
【００１２】
本発明のイネ科植物栽培による油汚染土壌の浄化装置及び浄化方法は，植物根圈に集まる微生物が油分子を細胞内に取り込みやい状態にする作用を持つ，生物系界面活性剤を，油汚染土壌を含む栽培土壌に添加する事を特徴とする。
【００１３】
本発明のイネ科植物栽培による油汚染土壌の浄化装置及び浄化方法は，給水手段と排水手段とを合わせて持つ事を特徴とする。
【００１４】
本発明の請求項１に対応するイネ科植物栽培による油汚染土壌の浄化装置は，特に強制通気手段が，空気供給ポンプを用いて，栽培土壌底部近傍に水平一様に配設した水平型散気管に設けた多数の孔から気泡状空気を栽培土壌下部一面に吐出できる構造とする事を特徴とする。
【００１５】
本発明の請求項２に対応するイネ科植物栽培による油汚染土壌の浄化装置は，特に強制通気手段が，空気供給ポンプを用いて，栽培土壌上部に覆い一様に配設した送気管と連通し，該送気管から鉛直下方向に延びて，該栽培土壌底部近傍に達する複数の鉛直型散気管の端部近傍に設けた多数の孔から，気泡状空気を該栽培土壌下部一面に吐出できる構造とする事を特徴とする。
【００１６】
本発明の請求項３に対応するイネ科植物栽培による油汚染土壌の浄化方法は，給水手段と排水手段とを合わせて持つが，特に該給水手段が，水道水等の外部給水源を用い給水として供給する事を特徴とする。
【００１７】
本発明の請求項４に対応するイネ科植物栽培による油汚染土壌の浄化方法は，特に給水手段が，栽培土壌底部一面からの排水を，固液分離工程（Ｓ３）　において，貯水槽等を用い，沈殿物及び浮遊物からなる固形物を除去し，次に揚水工程（Ｓ４）において，揚水ポンプ等を用い，所望の高さまで揚水し，　該揚水を水道水等の外部給水源から補充しながら，　循環する給水として用いる事を特徴とする。
【００１８】
【発明の実施の形態】
本発明の請求項１に対応するイネ科植物栽培による油汚染土壌の浄化装置は，機械油・防錆油・軽油・重油・原油等の各種の油で汚染した汚染土壌（１）に，少なくとも該油含有量が所定の濃度以下になる条件を含む土壌調整条件のもとで，油で汚染していない非汚染土壌（１０）を加えて混合し，更に少なくとも固形肥料を含む固形添加物（１１）を添加し，栽培土壌（１ａ）とし，該栽培土壌にイネ科（　学名：Ｇｒａｍｉｎｅａｅ）　植物を，所定の栽培条件下で栽培し，該植物の根近傍である該植物根圈に集まる土壌中の油分解機能を有する微生物により，該植物栽培育成期間に該汚染土壌の油を分解する浄化装置であって，該浄化装置は，該栽培土壌を擁する上部が開口した箱形状の栽培槽（３）と，該栽培土壌上部一面にわたり給水を一様に散水する機能を有する給水手段（６）と，該栽培土壌底部一面から，該栽培土壌の流出を防ぐ構造を有する，該栽培槽の底部（３ｂ）近傍に位置する濾過層（４ｂ）を介して，該底部に設けた排水管（４ａ）から排水する排水手段（４）と，該栽培土壌中に一様に気泡状空気を供給する機能を有する強制通気手段（７）と，そして該排水を一時的に貯水する貯水槽（５）とから構成し，そして該給水手段は，該貯水槽の貯水深度の中間深度近傍から揚水し，該貯水槽の沈殿物及び浮遊物からなる固形物を除去する固液分離を行い，該揚水を給水として循環して用いる機能を有する揚水ポンプ（６ｂ）を持ち，水道水等の外部給水源から補充しながら該給水を，該栽培土壌上部にわたり一様に配設した散水管（６ａ）から散水できる構造とし，更に該給水は，所定の期間，少なくとも所定の量の生物系界面活性剤（２２ａ）　及び液肥（２２ｂ）　を含有することとし，そして特に該強制通気手段が，空気供給ポンプ（７ａ）を用いて，該栽培土壌底部近傍に水平一様に配設した水平型散気管（７ｂ）に設けた多数の孔から該気泡状空気を栽培土壌下部一面に吐出できる構造とする事を特徴とする。
【００１９】
本発明の請求項２に対応するイネ科植物栽培による油汚染土壌の浄化装置は，請求項１に対応する浄化装置において，特に強制通気手段（７）が，空気供給ポンプ（７ａ）を用いて，栽培土壌（１ａ）上部に覆い一様に配設した送気管　　　　（７ｄ）と連通し，該送気管から鉛直下方向に延びて，該栽培土壌底部近傍に達する複数の鉛直型散気管（７ｃ）の端部近傍に設けた多数の孔から，気泡状空気を該栽培土壌下部一面に吐出できる構造とする事を特徴とする。
【００２０】
本発明の請求項３に対応するイネ科植物栽培による油汚染土壌の浄化方法は，各種の油で汚染した汚染土壌（１）を用い，土壌調整工程（Ｓ１）において，該汚染土壌に，少なくとも該油含有量が所定の濃度以下になる条件を含む土壌調整条件のもとで，油で汚染していない非汚染土壌（１０）を加えて混合し，更に少なくとも固形肥料を含む固形添加物（１１）を添加し，栽培土壌（１ａ）を確保し，次にイネ科植物栽培育成（Ｓ２）工程において，該栽培土壌にイネ科（　学名：Ｇｒａｍｉｎｅａｅ）　植物を，所定の栽培条件下で栽培し，該栽培条件は，少なくとも給水手段（６）を用い，　該栽培土壌上部一面にわたり給水（２２）を一様に散水し，該栽培土壌が含有する水分を所定の期間，適応する量に維持し，且つ該給水は，所定の期間，少なくとも所定の量の生物系界面活性剤（２２ａ）　及び液肥（２２ｂ）　を添加して含有することとし，そして排水手段（４）を用い，該栽培土壌底部一面から排水（２３）し，該栽培土壌が含有する水分の入れ換えを行うと共に，　適応する時期に，　強制通気手段（７）を用い，　該栽培土壌中に一様に気泡状空気の強制通気（２１）を供給し，特に該給水手段が，水道水等の外部給水源を用い該給水として供給することとし，　該植物の根近傍である該植物根圈に集まる土壌中の油分解機能を有する微生物により，該植物栽培育成期間に該汚染土壌の油を分解する事を特徴とする。
【００２１】
本発明の請求項４に対応するイネ科植物栽培による油汚染土壌の浄化方法は，請求項３に対応するイネ科植物栽培による油汚染土壌の浄化方法において，特に給水手段（６）が，栽培土壌（１ａ）底部一面からの排水（２３）を，固液分離工程（Ｓ３）　において，貯水槽（５）等を用い，沈殿物及び浮遊物からなる固形物を除去し，次に揚水工程（Ｓ４）において，揚水ポンプ（６ｂ）等を用い，所望の高さまで揚水し，　該揚水を，　水道水等の外部給水源から補充しながら，　循環する給水（２２）として用いる事を特徴とする。
【００２２】
本発明のイネ科植物栽培による油汚染土壌の浄化装置及び浄化方法において，イネ科（　学名：Ｇｒａｍｉｎｅａｅ）　植物として，イタリアンライグラス（学名：Ｌｏｌｉｕｍ　　　ｍｕｌｔｉｆｌｏｒｕｍ　Ｌ．）　，ペレニアルライグラス（学名：Ｌｏｌｉｕｍ　ｐｅｒｅｎｎｅ），　ソルゴー　　（学名：Ｓｏｒｇｈｕｍ　ｖｕｌｇａｒｅ），或いはエンバク（学名：Ａｖｅｎａ　ｓａｔｉｖａ）等を用いることもでき，該イタリアンライグラスは，一年生のイネ科牧草で，初期成長が早く，　水田の裏作としても利用され，　該ペレニアルライグラスは，多年生のイネ科牧草で，冷涼穏和な気候と肥沃な土壌を好み，　主に草地の放牧や土壌保全に広く利用され，　該ソルゴーは，一年生のイネ科飼育作物で，草丈は品種によっては３ｍ以上に伸び，　旱ばつ及びアルカリ性土壌に強く，　そして該エンバクは，一年生のイネ科飼育作物で，寒冷地では春まき栽培，　暖地では秋まき栽培で利用される事を特徴とする。
【００２３】
本発明のイネ科植物栽培による油汚染土壌の浄化装置において，イネ科植物の根は，約１ｍ以上までも延びることもでき，従って該イネ科植物の根圈として用いる栽培土壌の深さも，約１ｍまで採用する事も出来る。
【００２４】
本発明のイネ科植物栽培による油汚染土壌の浄化装置及び浄化方法において，栽培土壌に対する土壌調整条件は，
１．少なくとも該栽培土壌の含有する油含有量は，約２重量％以下とし，これを越えると，イネ科植物の栽培育成に影響を与える恐れがある。
２．少なくとも固形肥料を添加することとし，これらの各種成分は，窒素，　燐酸，　カリウム，　マグネシウム等がある。
３．ｐＨの調整は，ほぼ中性が望ましく，ｐＨの低土壌に対して，　石灰資材等，　そしてｐＨの高土壌に対しては，　硫黄華等を添加して調整する事も出来る。
４．透水係数が，１０−３から１０−４　ｃｍ／ｓｅｃ　を推奨する。
【００２５】
本発明のイネ科植物栽培による油汚染土壌の浄化装置及び浄化方法において，バイオサーファクタントとも呼ぶ，　生物系界面活性剤（２２ａ）　として，ラムノリピッド（Ｒｈａｍｎｏｌｉｐｉｄ）　及びマンノシル・エリスリトール・リピッド（Ｍａｎｎｏｓｙｌｅｒｙｔｈ−ｒｉｔｏｌ　ｌｉｐｉｄ　（ＭＥＬ））　を用いることもでき，これらは糖脂質系のバイオサーファクタントであり，すぐれた界面活性を有し，　微生物や植物が産出する界面活性剤であり，化学合成界面活性剤に比べて，　生物的に分解されやすく環境に与える負荷がすくなく，給水への添加濃度は，０．０５−０．１重量％を推奨し，該生物系界面活性剤は，微生物が油分子を細胞内に取り込みやい状態にする作用を持ち，　栽培する植物根圈に生息する微生物の油分解活性を向上させる作用を有する。
【００２６】
本発明のイネ科植物栽培による油汚染土壌の浄化装置及び浄化方法において，液肥の添加成分は，窒素（アンモニア性窒素，　硝酸性窒素等を含む），　水溶性燐酸，　水溶性カリ，　水溶性苦土，　水溶性マンガン，　水溶性ホウ素等があり，該液肥の添加により，栽培植物の生育が促進し，　栽培する植物根圈に生息する微生物の油分解活性を促進させる作用を有する。
【００２７】
本発明のイネ科植物栽培による油汚染土壌の浄化装置及び浄化方法において，イネ科植物の栽培条件は，下記とするのが望ましい。
１．播種後，種が流れないように，ゆっくり散水する。
２．発芽後，草丈が数ｃｍ程度になった後は，　数ｌ／（ｍｉｎ　・ｍ２）　程度の給水速度で散水し，この時期から，生物系界面活性剤及び液肥の給水への添加を開始する。
３．生育期間中の給水は，栽培土壌中の含水率を，水分計で監視しながら，栽培植物が萎れる水分量：約　１０　％　以下にならないように，　該給水を維持する。
４．生育期間中の強制通気は，空気供給ポンプを用いて行い，栽培植物の根の呼吸を促進し，　その植物根圈の発達に寄与し，　植物根圈に生息する微生物の油分解活性を促進させる作用を有し，特に，　該栽培土壌が，酸素欠乏に成りやすい夏期には注意を要し，該空気供給ポンプの空気供給速度は，数ｌ／（ｍｉｎ　・ｍ２）　程度で行う。
５．貯水槽を用いる場合は，固形物である油等の浮遊物，或いは汚泥等の沈殿物は，定期的に除去する。
６．貯水槽を用いる場合は，貯水の腐敗の恐れのあるとき，エアレーション或いは攪拌処理を行う事を推奨する。
【００２８】
本発明のイネ科植物栽培による油汚染土壌の浄化装置において，栽培槽の底部近傍に位置する濾過層は，数ｃｍの厚さに，　砕石を敷設して形成する事も出来る。
【００２９】
本発明のイネ科植物栽培による油汚染土壌の浄化装置において，貯水槽として，一連の直列に連通する，複数の貯水槽から構成する事も出来る。
【００３０】
本発明のイネ科植物栽培による油汚染土壌の浄化装置及び方法において，固形添加物として，固形肥料の他に，パーライト等の土壌改良材を含む事も出来る。
【００３１】
本発明のイネ科植物栽培による油汚染土壌の浄化装置及び方法は，イネ科植物を栽培し，固形添加物に少なくとも含まれる固形肥料と，給水に添加する液肥とを用い，更に強制通気手段を用い栽培植物の根の呼吸を促進し，　該イネ科植物の根圈を積極的に拡大促進すると共に，該植物根圈に集まる微生物の油分解作用を，生物系界面活性剤で更に向上させながら，栽培土壌の油を分解する作用を有する。
【００３２】
本発明のイネ科植物栽培による油汚染土壌の浄化装置及び方法は，植物根圈に集まる微生物の油分解作用を，生物系界面活性剤で更に向上させながら，栽培土壌の油を分解するので，環境に優しく負荷を与えず，且つ低コストで栽培土壌の油を分解する作用を有する。
【００３３】
本発明のイネ科植物栽培による油汚染土壌の浄化装置は，強制通気手段が，請求項１に対応する水平型散気管を用いる方式でも，或いはまた請求項２に対応する鉛直型散気管を用いる方式でも，同様な浄化結果が得られることが実証でき，数カ月に及ぶイネ科植物栽培育成工程（Ｓ２）を経て，栽培土壌の油含有重量の減少率が，約５０％余りまで確保できる作用を有する。
【００３４】
【実施例】
この発明の実施例の図面において，図１は本発明の実施例１を示す，請求項１に対応するイネ科植物栽培による油汚染土壌の浄化装置の一部欠載側部断面概略構成説明図である。図２は実施例２を示す，請求項２に対応するイネ科植物栽培による油汚染土壌の浄化装置の一部欠載側部断面概略構成説明図である。図３は実施例３を示す，請求項３に対応するイネ科植物栽培による油汚染土壌の浄化方法の概略工程図である。図４は実施例１及び実施例２に対応する，イネ科植物栽培による油汚染土壌の浄化装置を用いた，油汚染土壌の浄化結果である。
【００３５】
この発明の実施例を以下説明すると，請求項１に対応するイネ科植物栽培による油汚染土壌の浄化装置は，図１の実施例１に示すように，機械油・防錆油・軽油・重油・原油等の各種の油で汚染した汚染土壌（１）に，少なくとも該油含有量が所定の濃度以下になる条件を含む土壌調整条件のもとで，油で汚染していない非汚染土壌（１０）を加えて混合し，更に少なくとも固形肥料を含む固形添加物（１１）を添加し，栽培土壌（１ａ）とし，該栽培土壌にイネ科（　学名：Ｇｒａｍｉ−ｎｅａｅ）植物を，所定の栽培条件下で栽培し，該植物の根近傍である該植物根圈に集まる土壌中の油分解機能を有する微生物により，該植物栽培育成期間に該汚染土壌の油を分解する浄化装置であって，該浄化装置は，該栽培土壌を擁する上部が開口した箱形状の栽培槽（３）と，該栽培土壌上部一面にわたり給水を一様に散水する機能を有する給水手段（６）と，該栽培土壌底部一面から，該栽培土壌の流出を防ぐ構造を有する，該栽培槽の底部（３ｂ）近傍に位置する濾過層（４ｂ）を介して，該底部に設けた排水管（４ａ）から排水する排水手段（４）と，該栽培土壌中に一様に気泡状空気を供給する機能を有する強制通気手段（７）と，そして該排水を一時的に貯水する貯水槽（５）とから構成し，そして該給水手段は，該貯水槽の貯水深度の中間深度近傍から揚水し，該貯水槽の沈殿物及び浮遊物からなる固形物を除去する固液分離を行い，該揚水を給水として循環して用いる機能を有する揚水ポンプ（６ｂ）を持ち，水道水等の外部給水源から補充しながら該給水を，該栽培土壌上部にわたり一様に配設した散水管（６ａ）から散水できる構造とし，更に該給水は，所定の期間，少なくとも所定の量の生物系界面活性剤（２２ａ）　及び液肥（２２ｂ）　を含有することとし，そして特に該強制通気手段が，空気供給ポンプ（７ａ）を用いて，該栽培土壌底部近傍に水平一様に配設した水平型散気管（７ｂ）に設けた多数の孔から該気泡状空気を栽培土壌下部一面に吐出できる構造とする事を特徴とする。
【００３６】
本発明の請求項２に対応するイネ科植物栽培による油汚染土壌の浄化装置は，図２の実施例２に示すように，請求項１に対応する浄化装置において，特に強制通気手段（７）が，空気供給ポンプ（７ａ）を用いて，栽培土壌（１ａ）上部に覆い一様に配設した送気管（７ｄ）と連通し，該送気管から鉛直下方向に延びて，該栽培土壌底部近傍に達する複数の鉛直型散気管（７ｃ）の端部近傍に設けた多数の孔から，気泡状空気を該栽培土壌下部一面に吐出できる構造とする事を特徴とする。
【００３７】
本発明の請求項３に対応するイネ科植物栽培による油汚染土壌の浄化方法は，図３の実施例３に示すように，各種の油で汚染した汚染土壌（１）を用い，土壌調整工程（Ｓ１）において，該汚染土壌に，少なくとも該油含有量が所定の濃度以下になる条件を含む土壌調整条件のもとで，油で汚染していない非汚染土壌（１０）を加えて混合し，更に少なくとも固形肥料を含む固形添加物（１１）を添加し，栽培土壌（１ａ）を確保し，次にイネ科植物栽培育成（Ｓ２）工程において，該栽培土壌にイネ科（　学名：Ｇｒａｍｉｎｅａｅ）　植物を，所定の栽培条件下で栽培し，該栽培条件は，少なくとも給水手段（６）を用い，　該栽培土壌上部一面にわたり給水（２２）を一様に散水し，該栽培土壌が含有する水分を所定の期間，適応する量に維持し，且つ該給水は，所定の期間，少なくとも所定の量の生物系界面活性剤（２２ａ）　及び液肥（２２ｂ）　を添加して含有することとし，そして排水手段（４）を用い，該栽培土壌底部一面から排水（２３）し，該栽培土壌が含有する水分の入れ換えを行うと共に，　適応する時期に，　強制通気手段（７）を用い，　該栽培土壌中に一様に気泡状空気の強制通気（２１）を供給し，特に該給水手段が，水道水等の外部給水源を用い該給水として供給することとし，　該植物の根近傍である該植物根圈に集まる土壌中の油分解機能を有する微生物により，該植物栽培育成期間に該汚染土壌の油を分解する事を特徴とする。
【００３８】
本発明の請求項４に対応するイネ科植物栽培による油汚染土壌の浄化方法は，図３の実施例３に示すように，請求項３に対応するイネ科植物栽培による油汚染土壌の浄化方法において，特に給水手段（６）が，栽培土壌（１ａ）底部一面からの排水（２３）を，固液分離工程（Ｓ３）　において，貯水槽（５）等を用い，沈殿物及び浮遊物からなる固形物を除去し，次に揚水工程（Ｓ４）において，揚水ポンプ（６ｂ）等を用い，所望の高さまで揚水し，　該揚水を，　水道水等の外部給水源から補充しながら，　循環する給水（２２）として用いる事を特徴とする。
【００３９】
本発明の実施例１及び実施例２に対応する，イネ科植物栽培による油汚染土壌の浄化装置において，イネ科（　学名：Ｇｒａｍｉｎｅａｅ）　植物として，イタリアンライグラス（学名：Ｌｏｌｉｕｍ　ｍｕｌｔｉｆｌｏｒｕｍ　Ｌ．）　を用いた。イタリアンライグラスは，イネ科牧草で，関東から九州までの広範囲に栽培され，　初期成長が早く，　水田の裏作としても利用されている。イタリアンライグラスの播種時期は，３　─５　月，　及び９　─１１月，　そしてその播種密度は３　─４　ｇ／ｍ２が適応する。育成期間は，　春から夏にかけて，播種を行う場合には，４─５　カ月程度，　一方，　秋に播種を行う場合には，８─１０カ月程度である。また，これらのイネ科植物の根は，約１ｍ以上までも延びることもでき，従って栽培土壌（１ａ）の深さも，約１ｍまで採用する事も出来る。
【００４０】
本発明の実施例１及び実施例２に対応する，イネ科植物栽培による油汚染土壌の浄化装置において，栽培土壌（１ａ）に対する土壌調整条件は，　　　　　　１．少なくとも該栽培土壌の含有する油含有量は，約２重量％以下とすること。この油含有量を越えると，イネ科植物の栽培育成に影響を与える。
２．少なくとも固形肥料を添加すること。
推奨する各種成分の添加濃度は，土壌含有重量％で表記して，窒素（０．０２７），燐酸（０．１８），　カリウム（０．０２７），マグネシウム（０．０７）である。
３．ｐＨの調整。ｐＨは，５　─７　に調整するのが望ましい。ｐＨが低い土壌に対しては，　石灰資材，　一方，　ｐＨが高い土壌に対しては，　硫黄華を添加して調整する事も出来る。
４．透水係数が，１０−３から　１０　−４ｃｍ／ｓｅｃを推奨する。
【００４１】
本発明の実施例１及び実施例２に対応する，イネ科植物栽培による油汚染土壌の浄化装置において，バイオサーファクタントとも呼ぶ，　生物系界面活性剤（２２ａ）　として，ラムノリピッド（Ｒｈａｍｎｏｌｉｐｉｄ）　及びマンノシル・エリスリトール・リピッド（Ｍａｎｎｏｓｙｌｅｒｙｔｈｒｉｔｏｌ　ｌｉｐｉｄ　（ＭＥＬ））を用いた。
【００４２】
本発明の実施例１及び実施例２に対応する，イネ科植物栽培による油汚染土壌の浄化装置において，給水（２２）が含有する液肥（２２ｂ）　の添加成分濃度は，含有重量％で表記して，窒素全量（０．０４）［　アンモニア性窒素（０．０１６），硝酸性窒素（７．２ｘ　１０　−３）を含む］，水溶性燐酸（０．０８），　水溶性カリ（０．０４），　水溶性苦土（４ｘ１０　−４），水溶性マンガン（８ｘ１０　−６），水溶性ホウ素（４ｘ１０　−５）　である。
【００４３】
本発明の実施例１及び実施例２に対応する，イネ科植物栽培による油汚染土壌の浄化装置において，推奨するイネ科植物の栽培条件は，
１．播種後，２週間程度は，種が流れないように，栽培面積の平方メートル当たりの給水速度が，　約０．３　ｌ／（ｍｉｎ　・ｍ２）　程度でゆっくり散水する。
２．発芽後，草丈が約５　ｃｍ程度になった後は，　約３　ｌ／（ｍｉｎ　・ｍ２）　程度の給水速度で散水する。この時期から，生物系界面活性剤（２２ａ）　及び液肥（２２ｂ）　の貯水槽（５）への添加を開始する。
３．生育期間中の給水は，栽培土壌（１ａ）中の含水率を，水分計で監視しながら，栽培植物が萎れる水分量：約　１０　％　以下にならないように，　該給水を維持する。
４．生育期間中の強制通気は，空気供給ポンプ（７ａ）を用いて，栽培植物の根の呼吸を促進し，　その植物根圈の発達に寄与し，　植物根圈に生息する微生物の油分解活性を促進させる作用を有する。特に，　該栽培土壌が，酸素欠乏に成りやすい夏期には注意を要する。該空気供給ポンプの圧力は，２．５　ＭＰａ，そして空気供給速度は，栽培面積の平方メートル当たり約３　ｌ／（ｍｉｎ　・ｍ２）　程度で，１０　時間／　日程度供給した。
５．該貯水槽の固形物である，油等の浮遊物，或いは汚泥等の沈殿物は，定期的に除去する。
６．該貯水槽が，貯水の腐敗の恐れのある場合は，エアレーション或いは攪拌処理を行う事を推奨する。
【００４４】
本発明の実施例１及び実施例２に対応する，イネ科植物栽培による油汚染土壌の浄化装置において，栽培槽（３）の底部（３ｂ）近傍に位置する濾過層（４ｂ）は，３　─５ｃｍ　厚さに，　砕石を敷設して形成した。
【００４５】
本発明の実施例１及び実施例２に対応する，イネ科植物栽培による油汚染土壌の浄化装置において，栽培槽（３）の概略寸法は，幅：約５０　ｃｍ，横：約６０　ｃｍ，深さ：約３５　ｃｍ，そして容積：　約１００　ｌを採用した。
【００４６】
本発明の実施例１及び実施例２に対応する，イネ科植物栽培による油汚染土壌の浄化装置において，貯水槽（５）の容積は，約７０ｌを採用した。
【００４７】
本発明の実施例１及び実施例２に対応する，イネ科植物栽培による油汚染土壌の浄化装置を用いて，油汚染土壌の浄化装置を用いた，油汚染土壌の浄化結果を図４に示す。実施例１は，強制通気手段（７）が，水平型散気管（７ｂ）を用いる方式で，一方，実施例２は，該強制通気手段が，鉛直型散気管（７ｃ）を用いる方式である。これらの装置に，重油汚染土壌（１）を栽培土壌（１ａ）として充填し，イタリアンライグラスを播種し，イネ科植物栽培育成工程（Ｓ２）を開始日：１１月２６日に開始し，該開始日には，ｋｇ当たりの重油含有重量が，図４に示すように，概ね７０００ｍｇ／ｋｇ　であった。該イネ科植物栽培育成工程の終了日：３月１８日には，重油含有重量が，概ね３０００ｍｇ／ｋｇ　にまで浄化した。従って，　含有重量の減少率は，約５６％　と成り，　実施例１及び実施例２において，　ほぼ同じ減少率を確保した。なお，同じ箇所で所定の箱で，植物栽培を行わず，　散水のみを行い，　同じ該重油汚染土壌の重油含有重量の減少率を測定し，　減少率が８３％　を確保した。この減少率は，該重油汚染土壌の微生物による油分解能力に相当する。この様にして，　イネ科植物栽培による油汚染土壌の浄化装置及び浄化方法による効果が実証された。
【００４８】
【発明の効果】
本発明は，以上説明した様な形態で実施され，以下に記載される様な効果を有する。
【００４９】
本発明のイネ科植物栽培による油汚染土壌の浄化装置及び方法は，ひげ根状の植物根圈を形成するイネ科植物を栽培し，該イネ科植物の根圈を積極的に拡大促進すると共に，該植物根圈に集まる微生物の油分解作用を，生物系界面活性剤で更に向上させながら，栽培土壌の油を分解する効果を有する。
【００５０】
本発明のイネ科植物栽培による油汚染土壌の浄化装置及び方法は，植物根圈に集まる微生物の油分解作用を，生物系界面活性剤で更に向上させながら，栽培土壌の油を分解するので，環境に優しく負荷を与えず，且つ低コストで栽培土壌の油を分解する効果を有する。
【００５１】
本発明のイネ科植物栽培による油汚染土壌の浄化装置は，強制通気手段が，請求項１に対応する水平型散気管を用いる方式でも，或いはまた請求項２に対応する鉛直型散気管を用いる方式でも，同様な浄化結果が得られ，栽培土壌の油含有重量を，約半分余りまで減少できる効果を有する。
【図面の簡単な説明】
【図１】本発明の実施例１を示す，請求項１に対応するイネ科植物栽培による油汚染土壌の浄化装置の一部欠載側部断面概略構成説明図。
【図２】本発明の実施例２を示す，請求項２に対応するイネ科植物栽培による油汚染土壌の浄化装置の一部欠載側部断面概略構成説明図。
【図３】本発明の実施例３を示す，請求項３に対応するイネ科植物栽培による油汚染土壌の浄化方法の概略工程図。
【図４】本発明の実施例１及び実施例２に対応する，イネ科植物栽培による油汚染土壌の浄化装置を用いた，油汚染土壌の浄化結果。
【符号の説明】
１　　汚染土壌
１ａ　栽培土壌
１ｂ　浄化土壌
２　　栽培植物
３　　栽培槽
３ａ　側面
３ｂ　底部
４　　排水手段
４ａ　排水管
４ｂ　濾過層
５　　貯水槽
６　　給水手段
６ａ　散水管
６ｂ　揚水ポンプ
７　　強制通気手段
７ａ　空気供給ポンプ
７ｂ　水平型散気管
７ｃ　鉛直型散気管
７ｄ　送気管
１０　非汚染土壌
１１　固形添加物
２１　強制通気
２２　給水
２２ａ　生物系界面活性剤
２２ｂ　液肥
２３　　排水
【図１】
2004081982.tif 000003
【図２】
2004081982.tif 000004
【図３】
2004081982.tif 000005
【図４】
2004081982.tif 000006